(57)【要約】      （修正有）【課題】全自動で無農薬栽培でき、しかも低コストな太陽電池を活用した植物工場を提供する。【解決手段】温水冷水解放による空調熱源と自動搬送コンベアに循環水を使い太陽電池２発電電力を夜間等照明と循環ポンプと循環水加熱冷却に限定し太陽光を栽培に最大限活用する省エネ構成とする。病害虫汚染防止のためクリーンルーム３，４で外気遮断し中の循環コンベア５のトレー上の全鉢を自動管理し、養液と循環水を隔離して植物栽培を行える様に構成する。【選択図】図１
0003167456.tif 000002
【実用新案登録請求の範囲】
【請求項１】
適数個の栽培鉢７を載せたトレー６の浮上搬送循環に保温力高い温水や冷水を使う循環コンベア５。
図３、４に示すように水路をコノ字状に配置。ポンプ１２により水流を作りトレーを浮上還流させ無人搬送する。トレーのストッパー着けたトラバーサ１１をコンベア左右端に設けトレー上の栽培鉢の入出庫用や検査給液用の停止とコンベアライン乗換を行う。各鉢毎の品種生育に合わせ照明光量と給液の全品管理を行なう。
養液は循環水と隔離され養液タンク１３から補給される浮上循環コンベア。
【請求項２】
透明ハウス１は上部に屈曲できる太陽電池２を載せ発電と太陽光の併用温室であり、発電電気は水循環、循環水加温冷却と照明に使う。クリーンルーム外に蓄熱タンク１６を設け外部の温水器や水温冷却器使い循環水を常に一定温度に保持させる。温湿度管理は上部の温度センサと検査室トレー上部の湿度センサ使い鉢毎に成長をカメラ記録し養液給液等で最適管理する。ハウス内の夏季高温冷却には水粒子３０ミクロン以下の水滴散布する。冬季加温は外部温水器等で循環水を温め大量循環水の保温力と太陽光温室効果を活用する温水省エネ栽培システム。
【請求項３】
透明ハウス１の中に入出荷用クリーンルーム３と検査用クリーンルーム４を設置。
天井のエアークリーナー１０から外気取り入れ殺菌フイルター通した清浄空気をダウンフローさせる。
クリーンルーム３，４間を水流循環コンベア５で連結し上部にコンベアカバー１７を設け清浄空気と外気を遮断する。その上部に育成用ＬＥＤ蛍光灯８を配置。更に上部に透明ビニール９をドーム状に囲いコンベア部を二重に保温させる、クリーンルーム除菌構造。
【考案の詳細な説明】
【技術分野】
【０００１】本考案は透明ハウス内にクリーンルームを入れ、その中の水循環コンベア上で栽培する。
照明、空調等の必要エネルギーを太陽電池で賄う植物工場に関するものである。
【背景技術】
【０００２】植物工場は人工照明が重視され太陽光を活用しないものが多く、害虫汚染に関しても外気侵入への防止配慮のないものが多かった。
【考案の概要】
【考案が解決しようとする課題】
【０００３】本考案は太陽電池活用の植物工場に関するもので従来生産される植物単価で償却できない高価過ぎるものが多かった。
しかも密室空間の病原菌汚染への配慮少なく栽培植物全滅の例も見られた。
全自動で無農薬栽培でき、しかも低コストな植物工場
【課題を解決するための手段】
【０００４】温水冷水解放による空調熱源と自動搬送コンベアに循環水を使い太陽電池発電電力を夜間等照明と循環ポンプと循環水加熱冷却に限定し太陽光を栽培に最大限活用する省エネ構成。
病害虫汚染防止のためクリーンルームで外気遮断し中の循環コンベアのトレー上の全鉢を自動管理し、養液と循環水を隔離した植物栽培。
【考案の効果】
【０００５】農業の重労働をなくし無農薬食品を低コストで作れる植物工場であり、高齢者でも参入可能な農業を出現できる。
【図面の簡単な説明】
【０００６】
【図１】植物工場の全体概略図。
【図２】クリーンルームと循環コンベア側面図。
【図３】循環コンベア上面図。
【図４】循環コンベア端部の実施例図
【考案を実施するための形態】
【０００７】  適数個の栽培鉢７を載せたトレー６の浮上搬送循環に保温力高い温水や冷水を使う循環コンベア５。
図３、４に示すように水路をコノ字状に配置。ポンプ１２により水流を作りトレーを浮上還流させ無人搬送する。トレーのストッパー着けたトラバーサ１１をコンベア左右端に設けトレー上の栽培鉢の入出庫用や検査給液用の停止とコンベアライン乗換を行う。各鉢毎の品種生育に合わせ照明光量と給液の全品管理を行なう。
養液は循環水と隔離され養液タンク１３から補給される浮上循環コンベア。
【０００８】  透明ハウス１は上部に屈曲できる太陽電池２を載せ発電と太陽光の併用温室であり、発電電気は水循環、循環水加温冷却と照明に使う。クリーンルーム外に蓄熱タンク１６を設け外部の温水器や水温冷却器使い循環水を常に一定温度に保持させる。温湿度管理は上部の温度センサと検査室トレー上部の湿度センサ使い鉢毎に成長をカメラ記録し養液給液等で最適管理する。ハウス内の夏季高温冷却には水粒子３０ミクロン以下の水滴散布する。冬季加温は外部温水器等で循環水を温め大量循環水の保温力と太陽光温室効果を活用する温水省エネ栽培システム。
【０００９】  透明ハウス１の中に入出荷用クリーンルーム３と検査用クリーンルーム４を設置。
天井のエアークリーナー１０から外気取り入れ殺菌フイルター通した清浄空気をダウンフローさせる。
クリーンルーム３，４間を水流循環コンベア５で連結し上部にコンベアカバー１７を設け清浄空気と外気を遮断する。その上部に育成用ＬＥＤ蛍光灯８を配置。更に上部に透明ビニール９をドーム状に囲いコンベア部を二重に保温させる、クリーンルーム除菌構造。
【００１０】本考案の一実施例は上述の様な構成の植物工場であるから設備も運転費も少なく害虫侵入等で栽培植物が全滅する危険も少なく、栽培植物で償却できる植物工場を可能とする。
【産業上の利用可能性】
【００１１】高齢化進む農業の重労働を軽減し害虫被害のない無農薬の安全な植物を省エネで栽培できるので、農業再生の一助となりうるものである。
【符号の説明】
【００１２】  １  透明ハウス
２  太陽電池
３  入出庫用クリーンルーム
４  検査給液用クリーンルーム
５  循環コンベア
６  トレー
７  栽培鉢
８  ＬＥＤ蛍光灯
９  透明保温ドーム
１０  エアークリーナー
１１  トラバーサー
１２  ストッパー
１３  養液タンク
１４  循環水ポンプ
１５  循環水加熱冷却機
１６  蓄熱タンク
１７  外気遮断カバー
【図１】
0003167456.tif 000003
【図２】
0003167456.tif 000004
【図３】
0003167456.tif 000005
【図４】
0003167456.tif 000006
【手続補正書】
【提出日】平成22年8月6日(2010.8.6)
【手続補正１】
【補正対象書類名】実用新案登録請求の範囲
【補正対象項目名】全文
【補正方法】変更
【補正の内容】
【実用新案登録請求の範囲】
【請求項１】
適数個の栽培鉢を載せたトレーの浮上搬送循環に保温力高い冷温水を使う循環コンベアで、水路をコノ字状に構成しポンプにより水流を作り多数のトレーを浮上還流させ、トレーのストッパーを着けたトラバーサを水路左右端に設け、トレー上の栽培鉢の入出庫作業や検査の停止位置決めでき、養液は循環水と隔離し養液タンクから鉢毎に適量補給する事を特徴とする冷温水循環コンベア持った植物工場。
【請求項２】
透明ハウスは上部に屈曲できる太陽電池を載せ発電すると共に太陽光温室であり、発電電気は水循環や循環水加温冷却と照明に使い、クリーンルーム外に蓄熱タンクを設け外部の温水器や水温冷却器使い循環水を常に一定温度に保持させ、温湿度管理は上部の温度センサと検査室トレー上部の湿度センサを使い鉢毎に成長をカメラ記録し最適管理でき、ハウス内の夏季高温冷却には水粒子３０ミクロン以下の水滴を散布し、請求項１記載の冷温水循環コンベアの保温力活用を特徴とする太陽光温水省エネ栽培システム持った植物工場。
【請求項３】
透明ハウスの中に入出荷用クリーンルームと検査用クリーンルームを設置し、天井のエアークリーナーで外気を取りいれ殺菌フイルター通した清浄空気をダウンフローさせる。
二つのクリーンルーム間を請求項１記載の循環コンベアで連結し上部にコンベアカバーを設け清浄空気と外気を遮断する。その上部に育成用ＬＥＤ蛍光灯を配置し更に上部に透明ビニールでドーム状に囲いコンベア部を二重に外気と遮断させる、クリーンルーム除菌構造持った植物工場。
【手続補正２】
【補正対象書類名】明細書
【補正対象項目名】全文
【補正方法】変更
【補正の内容】
【考案の詳細な説明】
【技術分野】
【０００１】本考案は透明ハウス内にクリーンルームを入れ、その中の水循環コンベア上で栽培する。
照明、空調等の必要エネルギーを太陽電池で賄う植物工場に関するものである。
【背景技術】
【０００２】植物工場は人工照明が重視され太陽光を活用しないものが多く、害虫汚染に関しても外気侵入への防止配慮のないものが多かった。
【考案の概要】
【考案が解決しようとする課題】
【０００３】本考案は太陽電池活用の植物工場に関するもので従来生産される植物単価で償却できない高価過ぎるものが多かった。
しかも密室空間の病原菌汚染への配慮少なく栽培植物全滅の例も見られた。
全自動で無農薬栽培でき、しかも低コストな植物工場。
【課題を解決するための手段】
【０００４】温水冷水解放による空調熱源と自動搬送コンベアに循環水を使い太陽電池発電電力を夜間等照明と循環ポンプと循環水加熱冷却に限定し太陽光を栽培に最大限活用する省エネ構成。
病害虫汚染防止のためクリーンルームで外気遮断し中の循環コンベアのトレー上の全鉢を自動管理し、養液と循環水を隔離した植物栽培。
【考案の効果】
【０００５】農業の重労働をなくし無農薬食品を低コストで作れる植物工場であり、高齢者でも参入可能な農業を出現できる。
【図面の簡単な説明】
【０００６】
【図１】植物工場の全体概略図。
【図２】クリーンルームと循環コンベア側面図。
【図３】循環コンベア上面図。
【図４】循環コンベア端部の実施例図
【考案を実施するための形態】
【０００７】  適数個の栽培鉢７を載せたトレー６の浮上搬送循環に保温力高い温水や冷水を使う循環コンベア５。図３、４に示すように水路をコノ字状に配置。ポンプ１２により水流を作りトレーを浮上還流させ無人搬送する。トレーのストッパーを着けたトラバーサ１１をコンベア左右端に設けトレー上の栽培鉢の入出庫用や検査給液用の停止とコンベアライン乗換を行う。各鉢毎の品種生育に合わせ照明光量と給液の全品管理を行なう。養液は循環水と隔離され養液タンク１３から補給される浮上循環コンベアを持つ。
【０００８】  透明ハウス１は上部に屈曲できる太陽電池２を載せ発電と太陽光の併用温室であり、発電電気は水循環、循環水加温冷却と照明に使う。クリーンルーム外に蓄熱タンク１６を設け外部の温水器や水温冷却器使い循環水を常に一定温度に保持させる。温湿度管理は上部の温度センサと検査室トレー上部の湿度センサを使い鉢毎に成長をカメラ記録し養液給液でき最適管理する。ハウス内の夏季高温冷却には水粒子３０ミクロン以下の水滴を散布する。冬季加温は外部温水器で循環水を温め大量循環水の保温力と太陽光温室効果を活用する温水省エネ栽培システムを持つ。
【０００９】  透明ハウス１の中に入出荷用クリーンルーム３と検査用クリーンルーム４を設置。
天井のエアークリーナー１０から外気取り入れ殺菌フイルター通した清浄空気をダウンフローさせる。
クリーンルーム３，４間を水流循環コンベア５で連結し上部にコンベアカバー１７を設け清浄空気と外気を遮断する。その上部に育成用ＬＥＤ蛍光灯８を配置。更に上部に透明ビニール９をドーム状に囲いコンベア部を二重に外気遮断させる、クリーンルーム除菌構造を持つ。
【００１０】本考案の一実施例は上述の様な構成の植物工場であるから設備費運転費も少なく害虫侵入等で栽培植物が全滅する危険も少なく、栽培植物で償却できる植物工場を可能とする。
【産業上の利用可能性】
【００１１】高齢化進む農業の重労働を軽減し害虫被害のない無農薬の安全な植物を省エネで栽培できるので、農業再生の一助となりうるものである。
【符号の説明】
【００１２】１  透明ハウス
２  太陽電池
３  入出庫用クリーンルーム
４  検査給液用クリーンルーム
５  循環コンベア
６  トレー
７  栽培鉢
８  ＬＥＤ蛍光灯
９  透明保温ドーム
１０  エアークリーナー
１１  トラバーサー
１２  ストッパー
１３  養液タンク
１４  循環水ポンプ
１５  循環水加熱冷却機
１６  蓄熱タンク
１７  外気遮断カバー
【手続補正３】
【補正対象書類名】図面
【補正対象項目名】全図
【補正方法】変更
【補正の内容】
【図１】
0003167456.tif 000007
【図２】
0003167456.tif 000008
【図３】
0003167456.tif 000009
【図４】
0003167456.tif 000010
【手続補正書】
【提出日】平成22年11月26日(2010.11.26)
【手続補正１】
【補正対象書類名】実用新案登録請求の範囲
【補正対象項目名】全文
【補正方法】変更
【補正の内容】
【実用新案登録請求の範囲】
【請求項１】
適数個の栽培鉢を載せたトレーの浮上搬送循環に保温力高い冷温水を使う循環コンベアで、水路をコの字状に構成しポンプにより水流を作り多数のトレーを浮上還流させ、トレーのストッパーを着けたトラバーサを水路左右端に設け、トレー上の栽培鉢の入出庫作業や検査の停止位置決めしたり、養液は循環水と隔離し養液タンクから鉢毎に適量補給する事を特徴とする冷温水循環コンベアを持った植物工場。
【請求項２】
透明ハウスは上部に屈曲できる太陽電池を載せ発電すると共に太陽光温室であり、発電電気は水循環や循環水加温冷却と照明に使い、クリーンルーム外に蓄熱タンクを設け外部の温水器や水温冷却器を使い循環水を常に一定温度に保持させ、温湿度管理は上部の温度センサと検査室トレー上部の湿度センサを使い鉢毎に成長をカメラ記録し最適管理でき、ハウス内の夏季高温冷却には水粒子３０ミクロン以下の水滴を散布し、冷温水循環コンベアの保温力を活用する太陽光温水省エネ栽培システムを持った請求項１に記載の植物工場。
【請求項３】
透明ハウスの中に入出荷用クリーンルームと検査用クリーンルームを設置し、天井のエアークリーナーで外気を取りいれ殺菌フイルター通した清浄空気をダウンフローさせ、二つのクリーンルーム間を請求項１記載の循環コンベアで連結し上部にコンベアカバーを設けクリーンルームの清浄空気を保持させ、育成用ＬＥＤ蛍光灯を上部配置し更に上部に透明ビニールでドーム状に囲いコンベア部を二重に外気と遮断させる、クリーンルーム除菌構造を持った請求項１記載の植物工場。
【手続補正２】
【補正対象書類名】明細書
【補正対象項目名】全文
【補正方法】変更
【補正の内容】
【考案の詳細な説明】
【技術分野】
【０００１】本考案は透明ハウス内にクリーンルームを入れ、その中の水循環コンベア上で栽培する。
照明、空調等の必要エネルギーを太陽電池で賄う植物工場に関するものである。
【背景技術】
【０００２】植物工場は人工照明が重視され太陽光を活用しないものが多く、害虫汚染に関しても外気侵入への防止配慮のないものが多かった。
【考案の概要】
【考案が解決しようとする課題】
【０００３】本考案は太陽電池活用の植物工場に関するもので従来生産される植物単価で償却できない高価過ぎるものが多かった。
しかも密室空間の病原菌汚染への配慮少なく栽培植物全滅の例も見られた。
全自動で無農薬栽培でき、しかも低コストな植物工場。
【課題を解決するための手段】
【０００４】温水冷水解放による空調熱源と自動搬送コンベアに循環水を使い太陽電池発電電力を夜間等照明と循環ポンプと循環水加熱冷却に限定し太陽光を栽培に最大限活用する省エネ構成。
病害虫汚染防止のためクリーンルームで外気遮断し中の循環コンベアのトレー上の全鉢を自動管理し、養液と循環水を隔離した植物栽培。
【考案の効果】
【０００５】農業の重労働をなくし無農薬食品を低コストで作れる植物工場であり、高齢者でも参入可能な農業を出現できる。
【図面の簡単な説明】
【０００６】
【図１】植物工場の全体概略図。
【図２】クリーンルームと循環コンベア側面図。
【図３】循環コンベア上面図。
【図４】循環コンベア端部の実施例図
【考案を実施するための形態】
【０００７】  適数個の栽培鉢７を載せたトレー６の浮上搬送循環に保温力高い温水や冷水を使う循環コンベア５。
図３、４に示すように水路をコノ字状に配置。ポンプ１２により水流を作りトレーを浮上還流させ無人搬送する。トレーのストッパーを着けたトラバーサ１１をコンベア左右端に設けトレー上の栽培鉢の入出庫用や検査給液用の停止とコンベアライン乗換を行う。各鉢毎の品種生育に合わせ照明光量と給液の全品管理を行なう。
養液は循環水と隔離され養液タンク１３から補給される浮上循環コンベアを持つ。
【０００８】  透明ハウス１は上部に屈曲できる太陽電池２を載せ発電と太陽光の併用温室であり、発電電気は水循環、循環水加温冷却と照明に使う。クリーンルーム外に蓄熱タンク１６を設け外部の温水器や水温冷却器使い循環水を常に一定温度に保持させる。温湿度管理は上部の温度センサと検査室トレー上部の湿度センサを使い鉢毎に成長をカメラ記録し養液給液でき最適管理する。ハウス内の夏季高温冷却には水粒子３０ミクロン以下の水滴を散布する。冬季加温は外部温水器で循環水を温め大量循環水の保温力と太陽光温室効果を活用する温水省エネ栽培システムを持つ。
【０００９】  透明ハウス１の中に入出荷用クリーンルーム３と検査用クリーンルーム４を設置。
天井のエアークリーナー１０から外気取り入れ殺菌フイルター通した清浄空気をダウンフローさせる。
クリーンルーム３，４間を水流循環コンベア５で連結し上部にコンベアカバー１７を設け清浄空気と外気を遮断する。その上部に育成用ＬＥＤ蛍光灯８を配置。更に上部に透明ビニール９をドーム状に囲いコンベア部を二重に外気遮断させる、クリーンルーム除菌構造を持つ。
【００１０】本考案の一実施例は上述の様な構成の植物工場であるから設備費運転費も少なく害虫侵入等で栽培植物が全滅する危険も少なく、栽培植物で償却できる植物工場を可能とする。
【産業上の利用可能性】
【００１１】高齢化進む農業の重労働を軽減し害虫被害のない無農薬の安全な植物を省エネで栽培できるので、農業再生の一助となりうるものである。
【符号の説明】
【００１２】１  透明ハウス
２  太陽電池
３  入出庫用クリーンルーム
４  検査給液用クリーンルーム
５  循環コンベア
６  トレー
７  栽培鉢
８  ＬＥＤ蛍光灯
９  透明保温ドーム
１０  エアークリーナー
１１  トラバーサー
１２  ストッパー
１３  養液タンク
１４  循環水ポンプ
１５  循環水加熱冷却機
１６  蓄熱タンク
１７  外気遮断カバー
【手続補正３】
【補正対象書類名】図面
【補正対象項目名】全図
【補正方法】変更
【補正の内容】
【図１】
0003167456.tif 000011
【図２】
0003167456.tif 000012
【図３】
0003167456.tif 000013
【図４】
0003167456.tif 000014